(57)【要約】【課題】襟を有する衣服の襟形状を保持するとともに、体裁を損なうことなく効果的な商品イメージの向上が期待できる襟保形具を提供する。【解決手段】可撓性を有する帯状の保持部１１の両端に、前記保持部１１を環状に形成し、襟の内周前部に配置される一対の嵌合部１２を備えている。前記保持部１１の中央部には、文字、マーク、模様等を表示可能な表示部４が設けられている。環状に形成された保持部１１の表示部４は、ワイシャツの襟の内周後部に配置される。【選択図】      図１
2004204371.tif 000002
【特許請求の範囲】
【請求項１】
襟を有する衣服の前記襟の内周面に沿って装着される襟保形具であって、
可撓性を有する帯状の保持部と、前記保持部の両端に設けられ互いに嵌合して前記保持部を環状に形成し、襟の内周前部に配置される一対の嵌合部と、を備え、
前記保持部は、その中央部に文字、マーク、模様等を表示可能な表示部が設けられていることを特徴とする襟保形具。
【発明の詳細な説明】
【０００１】
【発明の属する技術分野】
本発明は、襟付き衣服の襟形状を保持する襟保形具に関するものである。
【０００２】
【従来の技術】
近年、襟を有する衣服を店頭に陳列等する場合、衣服の襟部や正面部が見えるように折り畳まれることが多い。この時、襟を体裁よく整えるために、ボール紙や樹脂製等の薄板状の保形具が一般的に使用されている（例えば、特許文献１）。
この保形具は、帯状の保持部と、前記保持部の両端に設けられ互いに嵌合して前記保持部を環状に形成する一対の嵌合部を備えている。
環状に形成された保形具は、その嵌合部がワイシャツ等の襟の内周後部に配置されるように装着され、襟を所定の形状に保形する。
【０００３】
【特許文献１】
実開平４−７３９０４号公報（第４図）
【０００４】
【発明が解決しようとする課題】
従来の襟保形具は、襟の体裁を整える補助具として使用することで、商品イメージの向上を図っていた。そのため、衣服に対して目立たないように、透明樹脂からなるものが大半である。また、襟保形具を装着した衣服を棚等に陳列した場合、襟保形具を環状に形成する嵌合部が、衣服を視認する人に最も視認性の良好な襟の内周後部に配置される。その嵌合部の粗雑な凹凸面は、商品イメージを損なうとともに、衣服を視認する人に対する品質やブランド等の表示を記載する障害となっていた。このように、従来の襟保形具は、その装着効果は襟の保形のみで、襟保形具そのものが商品イメージの向上を期待させるものではなかった。
【０００５】
本発明は、上記の事情に鑑みてなされたもので、襟付き衣服の襟形状を保持するとともに、体裁を損なうことなく効果的な商品イメージの向上が期待できる襟保形具を提供することを目的とする。
【０００６】
【課題を解決するための手段】
本発明に係る襟保形具は、襟を有する衣服の前記襟の内周面に沿って装着されるものであって、可撓性を有する帯状の保持部と、前記保持部の両端に設けられ互いに嵌合して前記保持部を環状に形成し、襟の内周前部に配置される一対の嵌合部とを備え、前記保持部は、その中央部に文字、マーク、模様等を表示可能な表示部が設けられている。
本発明の襟保形具によれば、嵌合部を襟の内周前部に配置するので、表示部を視認し易い襟の内周後部に配置することができ、この表示部に文字、マーク、模様等を表示することができる。
【０００７】
【発明の実施の形態】
以下、図面を参照しつつ、本発明の実施形態を説明する。
図１に、この発明の襟保形具１の正面図を示し、図２に、襟保形具１をワイシャツ２に装着した状態を示す。
図２に示すように、ワイシャツ２は、最もベーシックなレギュラータイプの襟３を備えている。
【０００８】
前記襟３は、ワイシャツ２の首周り開口部２１の周縁に所定の高さＨに立ち上がるように取り付けられた台襟３１と、その台襟３１の立ち上がった長辺周縁部３２に折返されるように取り付けられた外襟３３とを有している。
前記台襟３１は、その両端が外襟３３よりも内側へ突出した襟元片３４を有し、その一方の襟元片３４には、襟ボタン２２が所定の位置に縫製され、他方の襟元片３４には、前記襟ボタン２２を挿通することができる襟ボタン穴２３が設けられている。
【０００９】
また、台襟３１の立ち上がり高さＨは、台襟３１の長手方向中央が高く、襟元片３４で低くなるよう形成されている。
前記外襟３３は、両端に剣先部３５が設けられ、その剣先の長さＬ１や互いの開きＬ２によって前記襟３の種類が分けられている。
【００１０】
図１に示すように、襟保形具１は、例えば黒色に着色された不透明な樹脂からなり、襟３の形状を保持する可撓性を有する帯状の保持部１１と、前記保持部１１の両端に設けられた互いに係脱可能な一対の嵌合部１２とを備えている。
前記保持部１１は、その両端の幅Ｗが狭められて傾斜する傾斜部１１ａが設けられ、その傾斜部１１ａの両端に、狭められた幅Ｗ１と同幅に前記嵌合部１２が一体に設けられている。この傾斜部１１ａから嵌合部１２にかけて幅Ｗが狭められているのは、台襟３１の立ち上がり高さＨが、長手方向中央で高く、襟元片３４で低くなるよう形成されているのに適合させるためである。
【００１１】
また、前記保持部１１の表面１５の長手方向中央部には、表示部４が設けられており、その表示部４には、ブランド等のワイシャツ２をＰＲするマーク１３又は文字や模様が例えば白色で印刷されている。
前記嵌合部１２は、互いに係脱可能な一対の下歯嵌合部１２ａと上歯嵌合部１２ｂとを備えている。前記下歯嵌合部１２ａは、その下方の長辺縁部から幅Ｗ方向中央まで切り込まれた複数のスリット１４と、その個々のスリット１４間に設けられた前記嵌合部１２の幅Ｗ方向中央に向かって傾斜する案内部１６を有している。また、前記案内部１６の傾斜する山側には、前記スリット１４の幅Ｗ方向中央程度まで切り欠かれた欠截部１６ａを有している。
【００１２】
前記上歯嵌合部１２ｂは、前記下歯嵌合部１２ａと同様に、スリット１４と案内部１６を有しているが、前記下歯嵌合部１２ａとは、保持部１１の重心１１ｂに対して点対称に配置されている。
この一対の下歯嵌合部１２ａと上歯嵌合部１２ｂのスリット１４同士を互いに嵌合させることで、襟保形具１は、環状に形成される。その環状の襟保形具１の外周長さは、互いに嵌合させるスリット１４の位置を選択することで調整することができる。
また、前記案内部１６及びその欠截部１６ａは、下歯嵌合部１２ａと上歯嵌合部１２ｂのスリット１４同士を互いに嵌合させる時に、互いのスリット１４へ導く役割を果たすので、容易にスリット１４同士を嵌合させることができる。
【００１３】
次に、ワイシャツ２に襟保形具１を装着する場合について説明する。
襟保形具１は、その表面１５が内側になるように湾曲させ、下歯嵌合部１２ａと上歯嵌合部１２ｂを嵌合させて環状に形成する。環状に形成された襟保形具１の外周面１７を台襟３１の内周面３６に当接させ、嵌合部１２がワイシャツ２の襟元片３４側に配置されるように装着する。この時、台襟３１の内周面３６周長より襟保形具１の外周面１７周長が少し長くなるように調整する。そうすることで、台襟３１は、装着された襟保形具１によって押し広げられるので、しわの発生を防止することができる。
【００１４】
また、襟保形具１を装着することによって、襟３の土台である台襟３１は、その立ち上がり形状を保持することができるので、襟３全体を保形することができる。
そして、襟保形具１が装着されたワイシャツ２は、襟３や正面部５が上方に見えるように折り畳まれ、棚等の奥側に襟３が配置されるよう陳列される。
その時、陳列されたワイシャツ２に装着された襟保形具１のマーク１３が、ワイシャツ２を視認する人の正面側に配置され、その視認性は良好である。このように、保持部１１に表示部４を設けることで、襟３を保形しつつ、効果的な商品イメージの向上が期待できる。
【００１５】
また、マーク１３は、例えば保持部１１が黒色に着色されているのに対して白色で印刷されており、視覚的に強調されている。
更に、前記保持部１１が例えば黒色に着色されている場合には、ワイシャツ２を白地にすることにより、互いの色の相乗効果が得られるので、効果的な商品イメージの向上が期待できる。
一方、嵌合部１２は、襟元片３４側に配置されているので、ワイシャツ２を視認する人からは、襟元片３４の背面に隠れて殆ど見えない。すなわち、嵌合部１２の粗雑面が目立たないので、商品イメージが損なわれるのを防ぐことができる。
【００１６】
なお、本発明は上述した実施形態に限定されるものではない。
例えば、襟保形具１の着色及びマーク１３の色は、ワイシャツ２の色に応じて無色透明、有色透明を含め、任意に選択される。
また、マーク１３は、シールに表示したものを襟保形具１に貼り付けても良い。そして、襟保形具１の素材は、厚手の紙製でも良い。また、嵌合部１２は、ピンによる挟持でも良い。
【００１７】
【発明の効果】
以上説明したように、請求項１記載の襟保形具によれば、嵌合部を襟の内周前部に配置するので、表示部を視認し易い襟の内周後部に配置することができ、この表示部に文字、マーク、模様等を表示することができるので、効果的な商品イメージの向上が期待できる。
【図面の簡単な説明】
【図１】この発明の襟保形具の平面図である。
【図２】襟保形具をワイシャツに装着した状態の平面図である。
【符号の説明】
１      襟保形具
１１    保持部
１２    嵌合部
２      衣服（ワイシャツ）
３      襟
４      表示部
【図１】
2004204371.tif 000003
【図２】
2004204371.tif 000004